(57)【要約】      （修正有）【課題】構成が簡単で、電子ペンを容易に着脱でき、電子ペンが格納されている場合には、これを容易に確認することができる電子ペン格納機能を備えた電子ペン用保護カバーを提供する。【解決手段】ホールド部１とカバー部２とを備えるが、ホールド部１は、機器保持部１１とペン保持部１２とからなる。カバー部２は、背面カバー２１と、前面カバー２３と、これらを連結する連結部２２とを備える。ホールド部１のペン保持部１２は、カバー部２の連結部２２の近傍のホールド部１の部分に、電子ペンを収納可能なように開口が細長の貫通孔を設けて構成される。【選択図】図１
0003225411.tif 000002
【実用新案登録請求の範囲】
【請求項１】
電子機器を保持する機器保持部と電子ペンを保持するペン保持部とからなるホールド部と、
前記ホールド部の機器保持部の背面と対向する背面カバーと、前記機器保持部に保持された前記電子機器の前面部に対向する前面カバーと、前記背面カバーと前記前面カバーとを連結する連結部とを備えたカバー部と
を備え、
前記ペン保持部は、前記カバー部の前記連結部の近傍の前記ホールド部の部分に、前記電子ペンを収納可能な開口が細長の貫通孔を設けて構成される
ことを特徴とする電子機器用保護カバー。
【請求項２】
請求項１に記載の電子機器用保護カバーであって、
前記ペン保持部には、電子ペンを保持するための保持部材が設けられている
ことを特徴とする電子機器用保護カバー。
【請求項３】
請求項１に記載の電子機器用保護カバーであって、
前記前面カバーを前記連結部と共に前記背面カバーの側に折り曲げて重ね合わせた場合に、前記前面カバーと前記連結部と前記背面カバーとのいずれもが、前記貫通孔を覆うことが無いように構成される
ことを特徴とする電子機器用保護カバー。
【請求項４】
請求項２に記載の電子機器用保護カバーであって、
前記保持部材は、柔軟性のある材料により筒状に構成されている
ことを特徴とする電子機器用保護カバー。
【請求項５】
請求項１に記載の電子機器用保護カバーであって、
前記貫通孔の長辺は、前記電子ペンの全長よりも長い
ことを特徴とする電子機器用保護カバー。
【請求項６】
請求項１に記載の電子機器用保護カバーであって、
前記貫通孔の長辺は、前記機器保持部に保持される前記電子機器の長辺よりも短い
ことを特徴とする電子機器用保護カバー。
【考案の詳細な説明】
【技術分野】
【０００１】
この考案は、いわゆるタブレット端末と呼ばれる携帯型の電子機器を収容して、これを保護する電子機器用保護カバーに関する。
【背景技術】
【０００２】
板状の筐体であり、軽量のコンピュータであるタブレット端末などと呼ばれる携帯型の電子機器が広く利用されるようになってきている。タブレット端末は、薄型で持ち運びに便利であるが、外からの力によって傷が付くなどの不都合を防止するため、専用の保護ケースに収納して持ち運ぶ場合が多い。
【０００３】
後に記す特許文献１には、着脱による経年劣化が生じにくい構成を有するタブレットケースに関する発明が開示されている。また、タブレット端末には、いわゆる電子ペンを用いて、詳細な描画入力や細かな文字の手書き入力を行えるものもある。このため、タブレット端末と共に、電子ペンを持ち運ぶ必要があるため、後に記す特許文献２には、書籍でいうところの背表紙部分に電子ペンを差し込出で収納できるようにした携帯電子機器用保護ケースに関する発明が開示されている。
【先行技術文献】
【特許文献】
【０００４】
【特許文献１】特開２０１８−１８０８１７号公報
【特許文献２】特開２０１７−０００５７１号公報
【考案の概要】
【考案が解決しようとする課題】
【０００５】
特許文献２に記載されているように、電子ペンを携帯電子機器用保護ケースの背表紙部分に収納する方式の場合、電子ペンの全体を収納できるので、電子ペンを保護しつつ、電子ペンをタブレット端末と共に持ち運ぶことができるので便利である。しかし、電子ペンの取り出しが難しい場合があると考えられる。このため、電子ペンの格納部に、いわゆるプッシュ／プッシュ式の収納機構を設けることが考えられる。プッシュ／プッシュ式の収納機構は、簡単には、電子ペンの収納部の例えば底部分にコイルバネを含むロック機構を設け、当該コイルバネの伸縮に応じて、電子ペンを収納状態にしたり、取り出し可能状態にしたりするものである。
【０００６】
具体的に当該ロック機構は、電子ペンを挿入して強く押し込んだ場合には、当該コイルバネが縮み、その状態をロックして（維持して）、電子ペンを安定に収納部内に収納する。また、当該ロック機構は、収納されている電子ペンを、再度強く押し込むと、当該コイルバネのロック状態を解除し、当該コイルバネが伸びることにより、電子ペンを収納部から押し出し、電子ペンの取り出しを容易にする。しかし、プッシュ／プッシュ式の収納機構を設ける場合には、部品も多く必要になり、構成が複雑になる。また、押し込む操作を伴うために、当該収納機構や電子ペンの故障や破損などの不具合に繋がる可能性がある。また、電子ペンの多くの部分が、収納部内に格納されるために、電子ペンが収納されているか否かの確認がしにくい。
【０００７】
以上のことに鑑み、この発明は、構成が簡単で、電子ペンを容易に着脱でき、電子ペンが格納されている場合には、これを容易に確認することができる電子ペン格納機能を備えた電子ペン用保護ケースを提供することを目的とする。
【課題を解決するための手段】
【０００８】
上記課題を解決するため、
電子機器を保持する機器保持部と電子ペンを保持するペン保持部とからなるホールド部と、
前記ホールド部の前記機器保持部の背面と対向する背面カバーと、前記機器保持部に保持された前記電子機器の前面部に対向する前面カバーと、前記背面カバーと前記前面カバーとを連結する連結部とを備えたカバー部と
を備え、
前記ペン保持部は、前記カバー部の前記連結部の近傍の前記ホールド部の部分に、前記電子ペンを収納可能な開口が細長の貫通孔を設けて構成される
ことを特徴とする電子機器用保護カバーを提供する。
【０００９】
この電子機器用保護カバーによれば、ホールド部とカバー部とを備えるが、ホールド部は、機器保持部とペン保持部とからなる。カバー部は、背面カバーと、前面カバーと、これらを連結する連結部とを備える。ホールド部のペン保持部は、カバー部の連結部の近傍のホールド部の部分に、電子ペンを収納可能なように開口が細長の貫通孔を設けて構成される。これにより、機器保持部に保持される電子機器と共に、開口が細長の貫通孔の構成とされたペン保持部に電子ペンを保持するようにできる。
【図面の簡単な説明】
【００１０】
【図１】実施の形態の電子機器用保護カバーの正面図と背面図である。
【図２】実施の形態の電子機器用保護カバーのホールド部を示す図である。
【図３】実施の形態の電子機器用保護カバーの折り曲げた状態の側面図である。
【考案を実施するための形態】
【００１１】
以下、図を参照しながら、この考案により電子機器用保護カバーの一実施の形態について説明する。この考案の電子機器用保護カバーは、ペンタブレットやスマートフォンやタブレット端末に対して用いるように構成でき、また、種々の機器サイズに合わせて構成可能なものである。以下に説明する実施の形態の電子機器用保護カバーは、電子ペンによる指示入力が可能なタブレット端末に対して用いられるものであり、当該タブレット端末のサイズは、例えば、いわゆるＢ５判（１８２ｍｍ×２５７ｍｍ）程度のサイズである。
【００１２】
図１は、実施の形態の電子機器用保護カバーの正面図（図１（Ａ）と背面図（図１（Ｂ）である。図１（Ａ）、（Ｂ）に示すように、この実施の形態の電子機器用保護カバーは、ホールド部１とカバー部２とを備える。図２は、実施の形態の電子機器用保護カバーのホールド部１を示す図である。
【００１３】
ホールド部１は、図１（Ａ）の右側及び図２に示すように、トレイ（tray）状のものであり、硬質樹脂などにより形成される。ホールド部１は、電子機器であるタブレット端末が載置され、これを保持する機器保持部１１と、電子ペンを保持するペン保持部１２とからなる。図２においては、ペン保持部１２に電子ペン１００が保持されている場合を示している。機器保持部１１の外縁には淵部（側壁）が設けられ、当該淵部がタブレット端末の側壁を押さえて、ずれたり落ちたりしないようにされる。淵部は、少なくともタブレット端末を、その四隅において保持するように設けられる。
【００１４】
図１（Ｂ）、図２に示した例の場合には、ホールド部１の機器保持部１１は、左上端、右上端、右側面、右下端、下側面、左下端のそれぞれにおいて、底面から所定の厚み、所定の高さで淵部が構成されている。また、上端側に淵部が存在しないのは、機器保持部１１に保持されたタブレット端末を取り外しがし易いようにしている。また、図１（Ａ）の機器保持部１１の右上に示した円形部分は、カバー部２を含めた貫通孔であり、タブレット端末に搭載されているカメラで撮影等が行なえるように設けられている。
【００１５】
カバー部２は、例えば、樹脂、皮革、合成皮革、繊維などの種々の材料により形成される。カバー部２は、図１（Ａ）に示すように、ホールド部１の機器保持部１１の背面と対向する背面カバー２１と、機器保持部１１に保持された電子機器の前面部に対向する前面カバー２３と、背面カバー２１と前面カバー２３とを連結する連結部２２とを備える。すなわち、図１（Ｂ）の背面図に示すように、カバー部２は、点線で示したホールド部１の背面に対抗する背面カバー２１が、ホールド部１の背面に例えば接着されて固定されている。背面カバー２１と連結部２２との間には、折り畳み線２Ａが設けられている。また、連結部２２と前面カバー２３との間にも、折り畳み線２Ｂが設けられている。
【００１６】
背面カバー２１と前面カバー２３とは、多少撓ることはできるが、折れ曲がることのないように強度を有する板状体とされている。連結部２２は、柔軟性を有し、内側にも、外側にも折れたり、丸まったりすることができる。これにより、連結部２２の箇所で前面カバー２３は、機器保持部１１に保持されているタブレット端末の前面を覆うように折り畳むことができるようになっている。
【００１７】
また、前面カバー２３は、折り畳み線２Ｂの箇所で、背面カバー２１の背面側にほぼ１８０度折り畳むことがでる。同様に、折り畳み線２Ａの箇所で、連結部及び前面カバー２３を背面カバー２１の背面側にほぼ１８０度折り畳むことがでる。そして、ホールド部１のペン保持部１２は、図１（Ａ）、（Ｂ）に示すように、カバー部２の連結部２２の近傍のホールド部１の部分に、電子ペンを収納可能なように開口が細長の貫通孔を設けて構成される。すなわち、ペン保持部１２は、図２にも示すように、ホールド部１の左端側に開口が細長の貫通孔として設けられている。
【００１８】
折り畳み線２Ａを基準にして、前面カバー２３を連結部２２と共に背面カバー２１の側に折り曲げて、背面カバー２１と重ね合わせるようにしたとする。この場合には、前面カバー２３と連結部２２と背面カバー２１とのいずれもが、細長の開口を有する貫通孔の構成とされたペン保持部１２を覆うことがないようにされる。図３は、実施の形態の電子機器用保護カバーの折り曲げた状態の側面図である。
【００１９】
すなわち、図３に示すように、折り畳み線２Ａを基準にして、前面カバー２３を連結部２２と共に背面カバー２１の側に折り曲げて、背面カバー２１と重ね合わせるようにしたとする。この場合、点線Ｐ１と点線Ｐ２との間に示した部分に形成されているペン保持部１２は、前面カバー２３、連結部２２、背面カバー２１のいずれによっても覆われることがないように構成されている。なお、点線Ｐ２と点線Ｐ３とで示した部分が機器保持部１１に相当する。
【００２０】
従って、ペン保持部１２の細長の開口を有する貫通孔であるために、ここに電子ペンの全体を収容することができる。また、電子ペンの着脱のために複雑な機構を設けることもない。また、前面カバー２３が閉じられてホールド部１に装着されたタブレット端末の全面を覆うっているときは、ペン保持部１２の下側の開口は連結部２２により閉じられ、上側の開口は、前面カバー２３により閉じられる。これにより、ペン保持部１２に格納された電子ペンを落とすことなく持ち運べる。また、タブレット端末の前面を覆う前面カバー２３を上に上げれば、自動的にペン保持部１２の全体を見ることができるので、電子ペンが保持されているか否かを即時に判別できる。
【００２１】
なお、細長の開口の貫通孔の構成とされたペン保持部１２の長手方向の中央部分には、電子ペンを保持するための保持部材１３が設けられている。保持部材１３は、柔軟性のある材料により筒状に構成されたものであり、この筒状の保持部材１３に電子ペンを差し込むことにより、ペン保持部１２内に電子ペンを安定に保持することができる。なお、保持部材は、例えば、化学繊維などの布、ゴム、柔軟性のある樹脂などにより構成することができる。もちろん他の材料により構成してもよいが、電子ペンを安定に保持し、容易に着脱するために、柔軟性のある材料により構成されていることが望ましい。
【００２２】
また、図１（Ａ）に示すように、貫通孔の構成されたペン保持部１２の長辺Ｌの長さは、ペン保持部１２に保持される電子ペンの全長Ｐよりも長くなっている。これにより、ペン保持部１２内に、電子ペンの全体を保持することが可能になる。また、貫通孔の構成とされたペン保持部１２の長辺Ｌの長さは、機器保持部１１に保持されるタブレット端末の長辺の長さＴよりも短くなっている。これにより、ホールド部１内に、適切な大きさのペン保持部１２を構成し、安定に電子ペンの全体を保持して、持ち運び、必要なときにはすぐに取り出して使用できる。
【００２３】
[実施の形態の効果]
機器保持部１１とペン保持部１２とからなるホールド部１と、背面カバー２１と連結部２２と前面カバー２３とからなるカバー部２との大きくは２つの構成部分からなる電子機器保護カバーを構成できる。この電子機器用保護カバーは、電子機器の背面の全体、及び、前面の全体を確実に保護できる。また、ペン保持部１２は、開口が細長の貫通孔の構成とされたものであり、このペン保持部１２に電子ペンを保持して持ち歩くことができる。すなわち、構成が簡単で、電子ペンを容易に着脱でき、電子ペンが格納されている場合には、これを容易に確認することができる電子ペン格納機能を備えた電子ペン用保護ケースを実現することができる。
【００２４】
また、ペン保持部１２に保持部材１３を設けることにより、電子ペンを安定にペン保持部１２内に保持することができる。また、ペン保持部１２は、細長の開口を有する貫通孔の構成とされているので、前面側から電子ペンの着脱を行ったり、背面側から電子ペンの着脱を行ったりできる。また、ペン保持部１２を備えた電子機器用保護カバーを用いることにより、タブレット端末などの電子機器の電子ペンの収納部を設ける必要もない。従って、電子ペンによる指示入力が可能なタブレット端末に用いて好適な電子機器用保護カバーを実現できる。
【００２５】
[変形例]
上述した実施の形態では、タブレット端末用の保護カバーにこの発明を適用するようにしたが、種々のタブレット端末の保護カバーにこの発明を適用できる。ペンタブレット用やスマートフォン用の保護カバーを構成する場合にも、この発明を適用できる。従って、種々のサイズの電子機器用保護カバーを構成できる。
【００２６】
また、ペン保持部１２に設けるようにした保持部材１３は、電子ペンを安定にペン保持部１２に保持しておくためのものであるため、筒状のものに限られない。例えば、ループ（輪）状のものでもよい。例えば、ゴム製のループ状の保持部材を設けることにより、電子ペンを安定に保持できる。この場合、保持部材１３は、ペン保持部１２の中央部分に設けるのではなく、例えば、ペン保持部１２の上側と下側の２箇所に設けたり、中央部分と上側あるいは下側に設けたりすることも可能である。
【００２７】
また、保持部材１３は、例えば、硬質樹脂などによりループ状に形成され、直径は電子ペン直径とほぼ同じにされるが、電子ペンの直径よりもやや狭い（短い）スリットを設けた構成としてもよい。この場合には、当該保持部材に対して、電子ペンを横向きにして押し込むことにより装着し、引っ張ることにより取り外すようにできる。
【００２８】
また、ホールド部１、カバー部２の材質は、種々のものを用いることができる。例えば、カバー部の連結部２２は、背面カバー２１や前面カバー２３とは異なる材質のものであってもよい。
【符号の説明】
【００２９】
１…ホールド部、１１…機器保持部、１２…ペン保持部、１３…保持部材、２…カバー部、２１…背面カバー、２２…連結部、２３…前面カバー、２Ａ、２Ｂ…折り畳み線
【図１】
0003225411.tif 000003
【図２】
0003225411.tif 000004
【図３】
0003225411.tif 000005